【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
放送中の、印刷情報を含む放送信号を受信する第１受信手段と、
録画装置に記録されている、印刷情報を含む放送信号を受信する第２受信手段と、
前記第１受信手段又は前記第２受信手段で受信した放送信号を再生して映像を出力する再生出力手段と、
前記再生出力手段が再生中の放送信号が、前記第１受信手段又は前記第２受信手段のいずれで受信されたものかを判定する受信判定手段と、
前記再生中の放送信号に含まれる印刷情報が、外部サーバからの印刷コンテンツの取得を指示する取得指示情報を含むか否かを判定する印刷情報判定手段と、
前記再生中の放送信号に含まれる印刷情報が前記取得指示情報を含むと前記印刷情報判定手段で判定され、且つ前記再生中の放送信号が前記第２受信手段で受信されたものと前記受信判定手段で判定された場合に、前記再生中の放送信号に含まれる印刷情報では、当該放送信号が過去に放送されていた時点において対応していた印刷コンテンツを取得できない可能性があることをユーザに通知する通知手段と、
を備えることを特徴とする放送受信装置。
【請求項２】
前記取得指示情報が示す印刷コンテンツの更新が、予め定められた時刻以降に行われたか否かを判定する更新判定手段を更に備え、
前記通知手段は、前記更新が行われていないと前記更新判定手段で判定された場合、前記通知を行わない
ことを特徴とする請求項１に記載の放送受信装置。
【請求項３】
前記予め定められた時刻は、前記再生中の放送信号に対応する番組の放送終了時刻であることを特徴とする請求項２に記載の放送受信装置。
【請求項４】
前記予め定められた時刻は、前記再生中の放送信号に含まれる印刷情報の放送終了時刻であることを特徴とする請求項２に記載の放送受信装置。
【請求項５】
前記通知手段は、前記再生中の放送信号に対応する番組の放送終了時刻が過ぎていない場合、前記通知を行わないことを特徴とする請求項１乃至４のいずれか１項に記載の放送受信装置。
【請求項６】
前記通知手段は、前記再生出力手段が出力する映像にメッセージを重畳させることにより前記通知を行うことを特徴とする請求項１乃至５のいずれか１項に記載の放送受信装置。
【請求項７】
前記印刷情報に基づく印刷処理の実行を要求する印刷要求を受信する第３受信手段と、
前記印刷情報に基づく印刷処理を実行するように印刷装置に指示する指示手段と、
を更に備え、
前記通知手段は、前記第３受信手段が前記印刷要求を受信するまでは前記再生出力手段が出力する映像に前記メッセージを重畳させず、
前記指示手段は、前記通知手段が前記再生出力手段が出力する映像に前記メッセージを重畳させた後、前記第３受信手段が前記印刷要求を再度受信した場合に、前記指示を行う
ことを特徴とする請求項６に記載の放送受信装置。
【請求項８】
前記印刷情報に基づく印刷処理の実行を要求する印刷要求を受信する第３受信手段と、
前記印刷情報に基づく印刷処理を実行するように印刷装置に指示する指示手段と、
前記再生出力手段が出力する映像が表示される第１表示部とは異なる第２表示部に表示するように前記メッセージを出力する出力手段と、
を更に備え、
前記通知手段は、前記第３受信手段が前記印刷要求を受信するまでは前記再生出力手段が出力する映像に前記メッセージを重畳させずに前記出力手段に前記メッセージを出力させ、前記第３受信手段が前記印刷要求を受信した後に前記再生出力手段が出力する映像に前記メッセージを重畳させ、
前記指示手段は、前記通知手段が前記再生出力手段が出力する映像に前記メッセージを重畳させた後、前記第３受信手段が前記印刷要求を再度受信した場合に、前記指示を行う
ことを特徴とする請求項６に記載の放送受信装置。
【請求項９】
前記取得指示情報は、印刷コンテンツのＵＲＩを含むことを特徴とする請求項１乃至８のいずれか１項に記載の放送受信装置。
【請求項１０】
放送受信装置の制御方法であって、
第１受信手段が、放送中の、印刷情報を含む放送信号を受信する第１受信工程と、
第２受信手段が、録画装置に記録されている、印刷情報を含む放送信号を受信する第２受信工程と、
再生出力手段が、前記第１受信工程又は前記第２受信工程で受信した放送信号を再生して映像を出力する再生出力工程と、
受信判定手段が、前記再生出力工程で再生中の放送信号が、前記第１受信工程又は前記第２受信工程のいずれで受信されたものかを判定する受信判定工程と、
印刷情報判定手段が、前記再生中の放送信号に含まれる印刷情報が、外部サーバからの印刷コンテンツの取得を指示する取得指示情報を含むか否かを判定する印刷情報判定工程と、
前記再生中の放送信号に含まれる印刷情報が前記取得指示情報を含むと前記印刷情報判定工程で判定され、且つ前記再生中の放送信号が前記第２受信工程で受信されたものと前記受信判定工程で判定された場合に、通知手段が、前記再生中の放送信号に含まれる印刷情報では、当該放送信号が過去に放送されていた時点において対応していた印刷コンテンツを取得できない可能性があることをユーザに通知する通知工程と、
を備えることを特徴とする制御方法。
【手続補正２】
【補正対象書類名】明細書
【補正対象項目名】００１７
【補正方法】変更
【補正の内容】
【００１７】
上記課題を解決するために、第１の本発明は、放送中の、印刷情報を含む放送信号を受信する第１受信手段と、録画装置に記録されている、印刷情報を含む放送信号を受信する第２受信手段と、前記第１受信手段又は前記第２受信手段で受信した放送信号を再生して映像を出力する再生出力手段と、前記再生出力手段が再生中の放送信号が、前記第１受信手段又は前記第２受信手段のいずれで受信されたものかを判定する受信判定手段と、前記再生中の放送信号に含まれる印刷情報が、外部サーバからの印刷コンテンツの取得を指示する取得指示情報を含むか否かを判定する印刷情報判定手段と、前記再生中の放送信号に含まれる印刷情報が前記取得指示情報を含むと前記印刷情報判定手段で判定され、且つ前記再生中の放送信号が前記第２受信手段で受信されたものと前記受信判定手段で判定された場合に、前記再生中の放送信号に含まれる印刷情報では、当該放送信号が過去に放送されていた時点において対応していた印刷コンテンツを取得できない可能性があることをユーザに通知する通知手段と、を備えることを特徴とする放送受信装置を提供する。
【手続補正３】
【補正対象書類名】明細書
【補正対象項目名】００１８
【補正方法】変更
【補正の内容】
【００１８】
また、第２の本発明は、放送受信装置の制御方法であって、第１受信手段が、放送中の、印刷情報を含む放送信号を受信する第１受信工程と、第２受信手段が、録画装置に記録されている、印刷情報を含む放送信号を受信する第２受信工程と、再生出力手段が、前記第１受信工程又は前記第２受信工程で受信した放送信号を再生して映像を出力する再生出力工程と、受信判定手段が、前記再生出力工程で再生中の放送信号が、前記第１受信工程又は前記第２受信工程のいずれで受信されたものかを判定する受信判定工程と、印刷情報判定手段が、前記再生中の放送信号に含まれる印刷情報が、外部サーバからの印刷コンテンツの取得を指示する取得指示情報を含むか否かを判定する印刷情報判定工程と、前記再生中の放送信号に含まれる印刷情報が前記取得指示情報を含むと前記印刷情報判定工程で判定され、且つ前記再生中の放送信号が前記第２受信工程で受信されたものと前記受信判定工程で判定された場合に、通知手段が、前記再生中の放送信号に含まれる印刷情報では、当該放送信号が過去に放送されていた時点において対応していた印刷コンテンツを取得できない可能性があることをユーザに通知する通知工程と、を備えることを特徴とする制御方法を提供する。